(57)【要約】本開示は、遠位アンビル部分および近位ハンドル部分を含むアンビル半セクションと、細長いチャネル部材を画定し、細長いチャネル部材の底部壁上に支持される少なくとも１つのヒンジ部材を含み、細長いチャネル部材は、単回使用装填ユニットを取り外し可能に受容するような寸法にされる遠位部分と、発射アセンブリを支持するように構成される近位部分とを有し、少なくとも１つのヒンジ部材は、開口部を画定する、カートリッジ受容半セクションと、カートリッジ受容半セクションに枢動可能に固定される咬持レバーとを備え、咬持レバーの枢動部材は、少なくとも１つのヒンジ部材の開口部内に摺動可能に受容され、咬持レバーをカートリッジ受容半セクションに枢動可能に固定し、咬持レバーは、咬持されていない位置から咬持された位置に移動可能である、外科手術用締結具適用装置に関する。
2016534796.tif 000002
【特許請求の範囲】
【請求項１】
科手術用締結具適用装置であって、
遠位アンビル部分および近位ハンドル部分を含む、アンビル半セクションと、
細長いチャネル部材を画定し、前記細長いチャネル部材の底部壁上に支持される少なくとも１つのヒンジ部材を含み、前記細長いチャネル部材は、単回使用装填ユニットを取り外し可能に受容するような寸法にされる遠位部分と、発射アセンブリを支持するように構成される近位部分とを有し、前記少なくとも１つのヒンジ部材は、開口部を画定する、カートリッジ受容半セクションと、
前記カートリッジ受容半セクションに枢動可能に固定される咬持レバーであって、近位端、遠位端、および前記咬持レバーの遠位端上にカンチレバー式に支持される枢動部材を有する、咬持レバーと、
を備え、前記咬持レバーの枢動部材は、前記少なくとも１つのヒンジ部材の開口部内に摺動可能に受容され、前記咬持レバーを前記カートリッジ受容半セクションに枢動可能に固定し、前記咬持レバーは、咬持されていない位置から咬持された位置に移動可能であって、前記アンビル半セクションのアンビル部分を前記細長いチャネル部材内に支持される前記単回使用装填ユニットと緊密に接近して取り外し可能に固定する、装置。
【請求項２】
発射アセンブリをさらに含み、前記発射アセンブリは、前記カートリッジ受容半セクションの近位部分内に取り外し可能に固定されるように構成され、発射レバーと、前記発射レバーに固着して固定されるカムバーとを含む、請求項１に記載の外科手術用締結具適用装置。
【請求項３】
前記発射アセンブリはさらに、静止筐体を含み、前記静止筐体は、前記カートリッジ受容部分の近位部分内に取り外し可能に支持されるように構成される、請求項２に記載の外科手術用締結具適用装置。
【請求項４】
前記静止筐体は、下向きに延在する突出部を有する底部壁を含む、請求項３に記載の外科手術用締結具適用装置。
【請求項５】
前記細長いチャネル部材は、前記下向きに延在する突出部を受容し、前記発射アセンブリを前記細長いチャネル部材内に適切に位置付けるような寸法にされる、開口部を画定する、請求項４に記載の外科手術用締結具適用アセンブリ。
【請求項６】
前記発射アセンブリはさらに、前記単回使用装填ユニット内に支持されるナイフに係合するように構成される、ナイフ作動バーを含む、請求項２に記載の外科手術用締結具適用装置。
【請求項７】
前記発射アセンブリは、前記静止筐体に固定されるばね部材を含み、前記細長いチャネル部材は、前記ばね部材の通過を可能にするような寸法にされる、伸長スロットを画定し、前記ばね部材は、前記伸長スロットを通して延在し、前記咬持レバーに係合し、前記咬持レバーを前記咬持されていない位置に向かって押勢するように位置付けられる、請求項３に記載の外科手術用締結具適用アセンブリ。
【請求項８】
前記遠位アンビル部分は、三角形横断面を有する、請求項１に記載の外科手術用締結具適用装置。
【請求項９】
前記遠位アンビル部分は、中実であって、前記単回使用装填ユニットのナイフを受容するような寸法にされる長手方向スロットを画定する、請求項８に記載の外科手術用締結具適用装置。
【請求項１０】
前記咬持レバーは、中心枢動部材を有する係止部材を含み、前記係止部材は、係合部材を含む第１の端部と、指係合表面を含む第２の端部とを有し、前記係止部材は、前記中心枢動部材を中心として枢動可能であって、スナップ嵌合式係合において、前記カートリッジ受容半セクション上に形成される捕捉部材に係合し、前記咬持レバーを咬持された位置に保持する、請求項１に記載の外科手術用締結具適用装置。
【請求項１１】
前記指係合表面は、押下可能であるように位置付けられ、前記係合部材を前記中心枢動部材を中心として、前記捕捉部材と脱係合するように枢動させる、請求項１０に記載の外科手術用締結具適用アセンブリ。
【発明の詳細な説明】
【技術分野】
【０００１】
（背景）
（１．技術分野）
本開示は、外科手術用締結具適用装置に関し、より具体的には、再使用可能および使い捨て構成要素を有する、外科手術用締結具適用装置に関する。
【背景技術】
【０００２】
（２．関連技術の議論）
組織が、最初に、対向する顎部構造間に把持または咬持され、次いで、外科手術用締結具によって接合される、外科手術用締結具適用装置が、当技術分野において周知である。いくつかのそのような装置では、ナイフが、外科手術用ステープラ等の締結具によって接合された組織を切除するために提供される。
【０００３】
外科手術用締結具適用装置は、典型的には、それらの間に組織を捕捉または咬持（クランプ）するために使用される、２つの伸長梁部材を含む。典型的には、梁部材の一方は、少なくとも２つの側方列に配列される複数のステープルを格納する、使い捨てカートリッジアセンブリを担持し、他方の梁部材は、ステープルがカートリッジアセンブリから駆動されるにつれて、ステープル脚部を成形するための表面を画定する、アンビルを含む。２つの部分から成る締結具が、使用される場合、アンビルを含む梁部材は、２つの部分から成る締結具の嵌着部分、例えば、受器を担持する。概して、ステープル成形プロセスは、１つまたはそれを上回る長手方向に移動するカム部材と一連の個々のステープルプッシャとの間の相互作用によって行われる。カム部材が、梁部材を担持するカートリッジを通して、長手方向に進行するにつれて、個々のプッシャ部材は、カートリッジアセンブリ内に支持されたステープルのバックスパン内に上向きに付勢され、逐次的に、ステープルをカートリッジから出射する。ナイフは、ステープル列間のカム部材によって進行し、成形されたステープルの列間の組織を切除するように提供されてもよい。そのような器具の実施例は、米国特許第７，６３１，７９４号に開示され、参照することによって、本明細書に全体として組み込まれる。
【０００４】
不適切な滅菌に付随する危険性のため、例えば、締結具適用装置は、典型的には、使用後、廃棄される。カートリッジアセンブリは、単一患者において、複数の締結具適用動作を行なうために、交換され得るが、ステープル適用装置は、典型的には、外科手術手技が完了した後、廃棄される。本廃棄の要件は、外科手術手技に付随するコストを増加させ得る。再使用可能締結具適用装置も開発されたが、そのような装置は、非常に複雑であり得、滅菌が困難であることが示されている。
【０００５】
当技術分野において、再使用可能構成要素を含み、過度に複雑ではなく、外科手術手技における使用後、適切な滅菌を促進するように構成される、締結具適用装置の必要性が存在する。
【発明の概要】
【課題を解決するための手段】
【０００６】
（要旨）
本開示は、遠位アンビル部分および近位ハンドル部分を含む、アンビル半セクションを備える、外科手術用締結具適用装置に関する。カートリッジ受容半セクションは、細長いチャネル部材を画定し、細長いチャネル部材の底部壁上に支持される少なくとも１つのヒンジ部材を含む。細長いチャネル部材は、単回使用装填ユニットを取り外し可能に受容するような寸法にされる遠位部分と、発射アセンブリを支持するように構成される近位部分とを有する。少なくとも１つのヒンジ部材は、開口部を画定する。咬持レバーは、カートリッジ受容半セクションに枢動可能に固定され、近位端と、遠位端と、咬持レバーの遠位端上にカンチレバー式に支持される枢動部材とを有する。咬持レバーの枢動部材は、少なくとも１つのヒンジ部材の開口部内に摺動可能に受容され、咬持レバーをカートリッジ受容半セクションに枢動可能に固定する。咬持レバーは、咬持されていない位置から咬持された位置に移動可能であって、アンビル半セクションのアンビル部分を細長いチャネル部材内に支持される単回使用装填ユニットと緊密に接近して取り外し可能に固定する。
【０００７】
ある実施形態では、発射アセンブリは、カートリッジ受容半セクションの近位部分内に取り外し可能に固定されるように構成され、発射レバーと、発射レバーに固着して固定されるカムバーとを含む。
【０００８】
発射アセンブリはさらに、カートリッジ受容部分の近位部分内に取り外し可能に支持されるように構成され、下向きに延在する突出部を有する底部壁を含む、静止筐体を含んでもよい。
【０００９】
ある実施形態では、細長いチャネル部材は、下向きに延在する突出部を受容し、発射アセンブリを細長いチャネル部材内に適切に位置付けるような寸法にされる、開口部を画定する。
【００１０】
発射アセンブリはさらに、単回使用装填ユニット内に支持されるナイフに係合するように構成される、ナイフ作動バーを含んでもよい。
【００１１】
ある実施形態では、発射アセンブリは、静止筐体に固定されるばね部材を含み、細長いチャネル部材は、ばね部材の通過を可能にするような寸法にされる、伸長スロットを画定する。ばね部材は、伸長スロットを通して延在し、咬持レバーに係合し、咬持レバーを咬持されていない位置に向かって押勢するように位置付けられる。
【００１２】
ある実施形態では、遠位アンビル部分は、三角形横断面を有し、中実であって、単回使用装填ユニットのナイフを受容するような寸法にされる長手方向スロットを画定する。
【００１３】
ある実施形態では、咬持レバーは、中心枢動部材を有する係止部材を含む。係止部材は、係合部材を含む第１の端部と、指係合表面を含む第２の端部とを有する。係止部材は、中心枢動部材を中心として枢動可能であって、スナップ嵌合式係合において、カートリッジ受容半セクション上に形成される捕捉部材に係合し、咬持レバーを咬持された位置に保持する。実施形態では、指係合表面は、押下可能であるように位置付けられ、係合部材を中心枢動部材を中心として、捕捉部材と脱係合するように枢動させる。
【図面の簡単な説明】
【００１４】
次に、本開示される外科手術用締結具適用装置の種々の実施形態が、付随の図を参照して、本明細書に説明される。
【００１５】
【図１】図１は、咬持された位置における、本開示される外科手術用締結具適用装置の一実施形態の側面斜視図である。
【図２】図２は、開放位置における、図１に示される外科手術用締結具適用装置の側面斜視図である。
【図２Ａ】図２Ａは、咬持レバーおよびカートリッジ受容半セクションの組立の際の、カートリッジ受容半セクションおよび咬持レバーの一部の側面図である。
【図２Ｂ】図２Ｂは、閉鎖した咬持されていない位置における、図１に示される締結具適用装置の側面斜視図である。
【図３】図３は、部品が分解されている、図１に示される外科手術用締結具適用装置の側面斜視図である。
【図３Ａ】図３Ａは、図１に示される外科手術用締結具適用装置の咬持レバーの底部側断面図である。
【図４】図４は、単回使用装填ユニット（「ＳＵＬＵ」）および発射アセンブリがカートリッジ受容半セクション内に支持されている、外科手術用締結具適用装置のカートリッジ受容半セクションの側面斜視図である。
【図５】図５は、図４に示される詳細の指定された領域の拡大図である。
【図６】図６は、ＳＵＬＵおよび発射アセンブリがその中に支持されている、外科手術用締結具適用装置のカートリッジ受容半セクションの上方からの斜視図である。
【図７】図７は、図６に示される詳細の指定された領域の拡大図である。
【図８】図８は、図３に示される外科手術用締結具適用装置の発射アセンブリの上方からの正面端斜視図である。
【図９】図９は、図８に示される詳細の指定された領域の拡大図である。
【図９Ａ】図９Ａは、発射アセンブリがその中に取り外し可能に支持される、チャネル部材の側面斜視図である。
【図９Ｂ】図９Ｂは、図９Ａに示される詳細の指定された領域の拡大図である。
【図９Ｃ】図９Ｃは、チャネル部材の中心部分の側面斜視図である。
【図１０】図１０は、図８に示される発射アセンブリの上方からの背面端斜視図である。
【図１１】図１１は、図１０に示される詳細の指定された領域の拡大図である。
【図１２】図１２は、部品が分解されている、図１０に示される発射アセンブリの側面斜視図である。
【図１２Ａ】図１２Ａは、図１２に示される発射アセンブリのカムバーの底部側面斜視図である。
【図１２Ｂ】図１２Ｂは、図１２に示される発射アセンブリの発射レバーの底部斜視図である。
【図１３】図１３は、図１に示される外科手術用締結具適用装置のＳＵＬＵの側面斜視図である。
【図１４】図１４は、図１３に示される詳細の指定された領域の拡大図である。
【図１５】図１５は、図１３に示されるＳＵＬＵの正面斜視図である。
【図１６】図１６は、図１５に示される詳細の指定された領域の拡大図である。
【図１７】図１７は、図１５に示されるＳＵＬＵの部品が分解されている、側面斜視図である。
【図１８】図１８は、開放位置における、図１に示される外科手術用締結具適用装置の側面断面図である。
【図１９】図１９は、図１８に示される詳細の指定された領域の拡大図である。
【図２０】図２０は、図１８に示される詳細の指定された領域の拡大図である。
【図２１】図２１は、開放位置における、図１８に示される外科手術用締結具適用装置の近位端の斜視図である。
【図２２】図２２は、図１８に示される詳細の指定された領域の拡大図である。
【図２３】図２３は、図１に示される外科手術用締結具適用装置の咬持レバーの近位端の斜視図である。
【図２４】図２４は、咬持された位置にある、図１に示される外科手術用締結具適用装置の側面斜視図である。
【図２５】図２５は、咬持された位置にある、図２４に示される外科手術用締結具適用装置の側面断面図である。
【図２６】図２６は、図２５に示される詳細の指定された領域の拡大図である。
【図２７】図２７は、図２５に示される詳細の指定された領域の拡大図である。
【図２８】図２８は、図２６の切断線２８−２８に沿って切り取られた断面図である。
【図２９】図２９は、発射アセンブリが、締結具を装置から出射するために、作動ストロークを通って移動されるときの図１に示される外科手術用締結具適用装置の上面図である。
【図３０】図３０は、発射アセンブリが作動された位置にある、図２９に示される外科手術用締結具適用装置の側面断面図である。
【図３１】図３１は、図３０に示される詳細の指定された領域の拡大図である。
【図３２】図３２は、図３０に示される詳細の指定された領域の拡大図である。
【図３３】図３３は、装置が、発射され、開放位置に移動された後の図１に示される外科手術用締結具適用装置の側面断面図である。
【図３４】図３４は、図３３に示される詳細の指定された領域の拡大図である。
【図３５】図３５は、咬持された位置における、本開示される締結具適用装置の別の実施形態の側面斜視図である。
【図３６】図３６は、部品が分解されている、図３５に示される締結具適用装置の側面斜視図である。
【図３７】図３７は、図３６に示される締結具適用装置の発射アセンブリの底部斜視図である。
【図３８】図３８は、発射アセンブリの遠位端の切断断面図である。
【図３９】図３９は、図３６に示される締結具適用装置のアンビル半セクションの側面斜視図である。
【図４０】図４０は、図３９に示されるアンビル半セクションの遠位アンビル部分の遠位端の上面図である。
【図４１】図４１は、図４０の切断線４１−４１に沿った断面図である。
【図４２】図４２は、図３６に示される締結具適用装置のアンビル半セクションの側面図である。
【図４】図４３は、図４２に示されるアンビル半セクションの近位ハンドル部分の近位端の内側表面の斜視切断図である。
【図４４】図４４は、図３６に示される締結具適用装置の咬持レバーの上部斜視図である。
【図４４Ａ】図４４Ａは、図４４に示される咬持レバーの底部斜視図である。
【図４５】図４５は、図４４に示される咬持レバーの側面図である。
【図４６】図４６は、咬持レバーの近位端の斜視切断図である。
【図４７】図４７は、図４６に示される咬持レバーの近位端の側面断面図である。
【図４８】図４８は、図３６に示される締結具適用装置のカートリッジ受容半セクションの側面斜視図である。
【図４９】図４９は、図４８に示されるカートリッジ受容半セクションの側面図である。
【図５０】図５０は、図４９に示されるカートリッジ受容半セクションの近位端の斜視切断図である。
【図５１】図５１は、図５１に示されるカートリッジ受容半セクションの中心部分の拡大斜視切断図である。
【発明を実施するための形態】
【００１６】
（実施形態の詳細な説明）
次に、本開示に従う、本開示される外科手術用締結具適用装置の実施形態が、図面を参照して、詳細に説明されるが、類似参照番号は、類似または同じ構造要素を識別する。本明細書で使用されるように、従来通り、用語「近位」は、ユーザにより近い装置の部分を指し、用語「遠位」は、ユーザからより遠い装置の部分を指す。
【００１７】
図１−３を具体的に参照すると、外科手術用ステープラ１０は、アンビル半セクション１２と、カートリッジ受容半セクション１４と、咬持レバー１６と、１回使いきりの装填ユニット１８（以下「ＳＵＬＵ」）と、発射アセンブリ２０とを含む。一実施形態では、アンビル半セクション１２、カートリッジ受容半セクション１４、および咬持レバー１６は、再使用可能構成要素であるように構成され、したがって、滅菌および反復使用のために好適な生体適合性材料、例えば、ステンレス鋼から構築される。対照的に、ＳＵＬＵ１８および発射アセンブリ２０は、使い捨てであるように構築され、したがって、必要強度特性を有する、任意の好適な生体適合性材料は、例えば、プラスチック、金属、それらの組み合わせから構築されてもよい。
【００１８】
図３−７を参照すると、カートリッジ受容半セクション１４は、ＳＵＬＵ１８を取り外し可能に受容するような寸法にされる遠位部分２４ａと、発射アセンブリ２０を取り外し可能に受容するような寸法にされる近位部分２４ｂとを有する、Ｕ形状チャネル２４を画定する、細長いチャネル部材２２を画定する。Ｕ形状チャネルは、平坦底部と、断面が真っ直ぐな脚部とを有してもよく、または若干丸みを帯びた底部および／または少なくとも１つの湾曲脚部とを有してもよい。断面では、Ｕの底部は、鋭的な隅（コーナー）または少なくとも１つの若干丸みを帯びた隅によって、脚部と接続してもよい。発射アセンブリ２０は、カートリッジ受容半セクション１４の近位部分に形成される陥凹３０内に延在し、発射アセンブリ２０の近位端をチャネル部材２２の近位部分２４ｂ内に取り外し可能に固定する、突出部２８を含む近位端を有する、静止筐体２６（図１２も参照）を含む。発射アセンブリ２０の遠位端は、チャネル部材２２（図９Ａ−９Ｃ参照）の内側壁上に形成される突出部６５を受容し、発射アセンブリ２０の遠位端をチャネル部材２２内に取り外し可能に固定するように位置付けられる、三角形カットアウト６４ｄを画定する。三角形カットアウトは、三角形であってもよく、または鋭的な隅もしくは少なくとも１つの丸みを帯びたまたは面取りされた角を有する、三角形であってもよく、等辺を有しないか、または２つもしくは３つの等辺を有してもよい。発射アセンブリ２０の構造は、以下にさらに詳細に論じられる。同様に、ＳＵＬＵ１８は、チャネル部材２２の遠位端に形成されたカットアウト３４内に位置付けられ、ＳＵＬＵ１８をチャネル部材２２の遠位部分２４ａ内に取り外し可能に固定する、一対の遠位突出部３２を含む。組立の際、発射アセンブリ２０は、以下に論じられるように、ＳＵＬＵ１８が、チャネル部材２２の遠位部分２４ａに挿入される前に、チャネル部材２２の近位部分２４ｂに挿入されなければならない。ＳＵＬＵ１８をチャネル部材２２内に位置付けるために、ＳＵＬＵ１８上の突出部３２は、カットアウト３４内に位置付けられる一方、ＳＵＬＵ１８は、チャネル部材２２の上方かつそれに対してある角度で位置付けられる。その後、ＳＵＬＵ１８は、Ｕ形状チャネル２４の遠位部分２４ａ内に下向きに回転されることができる。これは、発射アセンブリ２０の駆動構成要素が、ＳＵＬＵ１８の構成要素と適切に整合し、また、発射アセンブリ２０のＳＵＬＵ１８内に支持されるナイフ４０（図１７）との係合を促進することを可能にする。ＳＵＬＵ１８の近位端は、外向きに延在する鋸歯状表面４２（図７）を含み、ＳＵＬＵ１８の近位端の把持を促進し、チャネル部材２２からのＳＵＬＵ１８の除去および／または置換を可能にする。ステープラ１０の咬持された位置への移動に先立って、以下に論じられるように、鋸歯状把持表面４２は、チャネル部材２２の遠位部分２４ａ内に完全に着座しない。
【００１９】
図８−１２を参照すると、発射アセンブリ２０は、静止筐体２６と、ナイフ作動バー４４と、カムバー４６と、ガイドブロック４８と、発射レバー５０と、スライドブロック５２と、ペダル５４と、（図１２）とを含む。ある実施形態では、静止筐体２６は、底部壁６２および一対の側壁６４を含む、Ｕ形状フレーム６０を含む。各側壁６４は、その近位端に、個別の突出部２８を支持する、カンチレバー式セクション６４ａ（図１１）を画定するように、スロットが付けられる。カンチレバー式セクション６４ａは、前述のように、突出部２８が、チャネル部材２２（図２１）の陥凹３０の中に内向きに撓曲し、発射アセンブリ２０をチャネル部材２２の近位部分２４ｂ（図３）内に取り外し可能に固定することを可能にする。各側壁６４の遠位端は、近位ステップ６４ｂと、遠位角度付き部分６４ｃ（図９）と、三角形カットアウト６４ｄとを画定する。前述のように、三角形カットアウト６４ｄは、チャネル部材２２の内側壁上に形成された突出部６５（図９Ｂ）を受容し、発射アセンブリの遠位端をチャネル部材２２内に保持するように位置付けられる。底部壁６２は、スライドブロック５２の近位端に係合し、静止筐体２６内の所定の点を越えるスライドブロック５２の近位移動を防止する、ばねアーム６６（図１１）を含む。
【００２０】
図３５−５１に示される代替実施形態では、外科手術用ステープラ１０００は、下向きに延在する突出部１０２７を画定する底部壁１０２６ａ（図３７）を有する静止筐体１０２６を備える、発射アセンブリ１０２０（図３６）を含む。突出部１０２７は、カートリッジ受容半セクション１０１４のチャネル部材１０２２内に形成される開口部（図示せず）内に受容されるような寸法にされる。チャネル部材１０２２内に形成される開口部内への突出部１０２７の位置付けは、発射アセンブリ１０２０をカートリッジ受容半セクション１０１４のチャネル部材１０２２内に適切に位置させ、整合させるように機能する。
【００２１】
ガイドブロック４８は、３つの長手方向スロット７０ａ−ｃおよび一対の外向きに延在する突出部７２を画定する、本体を含む。一実施形態では、各突出部７２は、円筒形であって、テーパ状部分７２ａ（図９）を含む。代替として、他の突出部構成も、想定される。円筒形突出部７２は、円形断面を伴う円筒形であってもよいか、またはわずかに長円の断面を有してもよい。加えて、円筒形突出部７２は、鈍的端部または若干丸みを帯びたか、もしくはテーパ状端部を有してもよい。突出部７２は、静止筐体２６の側壁６４内に形成される開口部７４（図１２）内に受容され、ガイドブロック４８を静止筐体２６の遠位端内に軸方向に固定するような寸法にされる。突出部７２は、Ｕ形状フレーム６０内のガイドブロック４８のある程度の枢動移動を可能にする。以下にさらに詳細に論じられるように、ガイドブロック４８は、ステープラ１０の咬持された位置への移動に応答して、ナイフ作動バー４４の切り欠き４９および５１と係止係合する、第１の位置（図１９）から、ナイフ作動バー４４の切り欠き４９および５１から係脱合される、第２の位置（図２６）に枢動する。スロット７０ａおよび７０ｃはそれぞれ、カムバー４６の個別の側壁１１４を摺動可能に受容するような寸法にされる。同様に、スロット７０ｂは、ナイフ作動バー４４を摺動可能に受容するような寸法にされる。
【００２２】
スライドブロック５２は、発射レバー５０内に形成された枢動孔８２内にスナップ嵌合されるように構成される弾性フィンガ８０ａを含む、ハブ８０を含む。発射レバー５０は、スライドブロック５２が、後退された位置にあるとき、ハブ８０を中心として枢動し、ステープラ１０の両側からの発射アセンブリ２０の作動を促進する。ペダル５４は、スライドブロック５２内に形成された孔８４内に相互に受容される。ペダル５４は、ナイフ作動バー４４の近位端１０２に跨がるように構成される、分割本体部分５４ａを含む。一実施形態では、分割本体部分５４ａは、角度付き遠位表面８６を含む。ピン８８は、ペダル５４から、スライドブロック５２内の孔８４を通して、上向きに延在する。付勢部材９０は、ピン８８を中心として、分割本体部分５４ａとスライドブロック５２との間に位置付けられ、ペダル５４をスライドブロック５２から離れて下向きに押勢する。スライドブロック５２の後退された位置では、ペダル５４は、チャネル部材２２の底部壁２２ａ内に形成されるカットアウト５５（図２０）内に受容される。
【００２３】
発射レバー５０は、第１および第２の指係合部材５０ａおよび５０ｂを含み、そのいずれか一方は、ステープラ１０の両側から、発射ストロークを通して、発射レバー５０を移動するように選択的に係合されることができる。弓状陥凹９４（図１２Ｂ）は、ペダル５４のピン８８を摺動可能に受容する、発射レバー５０の底部表面内に形成され、それを通して発射レバー５０が、スライドブロック５２のハブ８０を中心として枢動することができる、回転の範囲を画定する。本明細書で使用されるように、発射ストロークは、完全に後退された位置（図２５）から完全に前進された位置（図３０）への発射レバー５０の移動として画定される。停止陥凹９４ａは、弓状陥凹９４の各端に形成される。停止陥凹９４ａは、ペダル５４のピン８８の端部を受容し、外科手術用ステープラ１０の発射ストロークの間、ハブ８０を中心とした発射レバー５０の枢動移動を防止するように構成および定寸される。より具体的には、発射アセンブリ２０が、作動され、スライドブロック５２を静止筐体２６内で遠位に前進させると、ペダル５４の角度付き遠位表面８６は、チャネル部材２２に係合し、カットアウト５５（図２７）からのカム動作して外れ、ピン８８を停止陥凹９４ａに上向きに押勢し、発射ストロークを通した発射レバー５０の移動の間、発射レバー５０の枢動移動を防止する。明らかなように、ピン８８は、停止陥凹９４ａの真下に位置付けられ、ペダル５４をカットアウト５５から上向きに持ち上げさせ、発射レバー５０が、発射ストロークを通して移動されることを可能にしなければならない。したがって、発射レバー５０は、発射レバー５０が、発射ストロークを通して移動され得る前に、発射アセンブリ２０の片側または他側に枢動されなければならない。
【００２４】
ナイフ作動バー４４は、第１の高さを有する、近位の第１のステップ１０２と、第１の高さを上回る第２の高さを有する、第２のステップ１０４とを含む、ステップ付き部分１００を有する近位端を含む。作動バー４４の遠位端は、上を向いたフック部分１０６と、上側および下側切り欠き４９および５１とを含む。フィンガ１０８は、第１および第２のステップ１０２と１０４との間のナイフ作動バー４４から上向きに突出する。図２７に示されるように、フィンガ１０８は、スライドブロック５２の下側面内に形成された陥凹１１０内に摺動可能に受容される。スライドブロック５２が、静止筐体２６内で遠位に前進されると、フィンガ１０８は、フィンガ１０８が、陥凹１１０の近位端を画定する壁１１２（図３２）に係合するまで、スライドブロック５２が、ナイフ作動バー４４に連動して移動するように、陥凹１１０内を移動する。フィンガ１０８が、壁１１２に係合すると、スライドブロック５２のさらなる遠位移動はまた、ナイフ作動バー４４の遠位移動をもたらす。以下から明らかなように、本配列は、ステープルが、組織の切除に先立って、ＳＵＬＵ１８から出射されることを可能にする。
【００２５】
図１２および１２Ａを参照すると、カムバー４６は、一対の側壁１１４および底面壁１１６（図１２Ａ）を含む。各側壁１１４の近位端１１４ａは、隆起された壁部分１１８を含む。各隆起された壁部分１１８は、スライドブロック５２の下側面内に形成されたスロット（図示せず）内に固着して受容され、カムバー４６の近位端をスライドブロック５２に固着して固定するように構成される。代替として、スライドブロック５２は、ナイフ作動バー４４の近位端の周りに成形されてもよい。各側壁１１４の遠位端は、角度付きカム表面１１４ｂを含む。底面壁１１６は、カムバー４６の実質的長さに沿って、カムバー４６の遠位端から延在する、遠位に延在する伸長スロット１２３（図１２Ａ）と、近位に延在する長手方向スロット１２１とを画定する。スロット１２１は、スライドブロック５２が、後退された位置にあるとき、チャネル部材２２のカットアウト５５を通したペダル５４の通過を促進するように位置付けられる。図２７を参照されたい。
【００２６】
カムバー４６の側壁１１４は、ガイドブロック４８のスロット７０ａおよび７０ｃ内に摺動可能に位置付けられ、ナイフ作動バー４４は、ガイドブロック４８の長手方向スロット７０ｂ内に摺動可能に位置付けられる。発射アセンブリ２０が、チャネル部材２２内に支持され、発射レバー５０が、静止筐体２６の片側に枢動され、遠位に押動されると、スライドブロック５２は、静止筐体２６内で遠位に移動される。スライドブロック５２が、遠位に移動し始めるにつれて、ペダル５４のテーパ状表面８６は、カットアウト５５を画定するチャネル部材２２の遠位縁に係合し、カットアウト５５から、カムバー４６のスロット１２１を通して、そして発射アセンブリ２０の静止筐体２６の内側表面上に、ペダル５４を上向きに押勢する（図２７）。これが生じるにつれて、ペダル５４のピン８８は、停止陥凹９４ａ内に移動し、発射レバー５０のさらなる枢動移動を防止する。発射レバー５０が、ピン８８が停止陥凹９４ａの真下に位置付けられる位置に枢動されない場合、ペダル５４は、カットアウト５５から上向きに移動することが防止され、発射レバー５０は、発射ストロークを通して移動しないように防止される。発射レバー５０が、遠位に移動されるにつれて、フィンガ１０８は、ナイフ作動バー４４が、カムバー４６が遠位に前進されるにつれて、静止されたままであるように、陥凹１１０内に移動する。フィンガ１０８が、陥凹１１０を画定する近位壁１１２に係合すると、ナイフ作動バー４４は、スライドブロック５２およびカムバー４６とともに、遠位に移動される。以下に論じられるように、カムバー４６およびナイフ作動バー４４が、発射アセンブリ２０の静止筐体２６およびチャネル部材２２内で遠位に移動されると、カムバー４６の角度付きカム表面１１４ｂは、ＳＵＬＵ１８を通して移動され、締結具をＳＵＬＵ１８から出射する。同時に、陥凹１１０（図３２）の長さに等しい所定の遅延を伴うが、ナイフ作動バー４４は、ナイフ刃４０をＳＵＬＵ１８を通して駆動し、組織を切断する。
【００２７】
図３８を参照すると、一実施形態では、リーフばね１０２９等のばねが、静止筐体１０２６の遠位端内に提供される。ばね１０２９は、ステープラ１０００が咬持された位置に移動されるまで、ＳＵＬＵ１０１８が静止筐体１０２６の遠位端内に完全に着座しないよう防止するように位置付けられる。咬持された位置では、ＳＵＬＵ１０１８は、アンビル半セクション１０１２によって、発射アセンブリ１０２０（図３５）と動作係合するように下向きに押勢される。ばね１０２９は、ステープラ１０００が咬持された位置に移動されるまで、ＳＵＬＵ１０１８が発射アセンブリ１０２０に動作可能に係合することを防止する。
【００２８】
米国特許第７，６３１，７９４号（「第’７９４号特許」）は、前述のものと同様の発射アセンブリを含む、外科手術用締結具適用装置を開示する。第‘７９４号特許は、参照することによって、その全体が本明細書に組み込まれる。
【００２９】
図１３−１７は、ＳＵＬＵ１８を図示する。図１７を参照すると、ＳＵＬＵ１８は、本体１２０と、複数のステープルプッシャ１２２（１つのみ図示）と、底部カバー１２４と、角度付き鋭利前縁または刃４０ａを有するナイフ４０と、複数のステープル１２６（１つのみ図示）と、枢動可能に搭載された安全ロックアウト１２８とを含む。本体１２０の近位端は、本体１２０を画定する外側壁を若干越えて突出する、可撓性フィンガ１２０ａを含む。フィンガ１２０ａは、ＳＵＬＵ１８が、チャネル部材２２内に取り外し可能に位置付けられると、チャネル部材２２の内側壁に摩擦係合し、ＳＵＬＵ１８の近位端をチャネル部材２２内に保持する。当技術分野において公知のように、本体１２０は、例えば、４つ、６つ等の複数の列のステープル保持スロット１３０と、本体１２０内の中心に配置される、直線状スロット付きナイフトラック１３２とを有する。外科手術用ステープラ１０は、例えば、６０ｍｍ、８０ｍｍ、および１００ｍｍを含む、異なるステープルライン長さのＳＵＬＵを受容または収容するような寸法にされることができる。ナイフ４０は、ＳＵＬＵ１８が、チャネル部材２２内に位置付けられると、ナイフ作動バー４４の上を向いたフック部分１０６に係合するように位置付けられる、下を向いたフック部分４０ｂを含む。
【００３０】
図示される実施形態では、本体１２０は、直線状スロット付きナイフトラック１３２の両側に形成される、スロット１３０の２つの千鳥状の列を含む。スロット１３０の千鳥状の列は、ナイフトラック１３２の遠位端を越えて延在し、ナイフ刃４０のストロークの遠位端を越えたステープル形成を促進する。
【００３１】
ステープルプッシャ１２２は、１つまたはそれを上回るスロット１３０内に延在するように構成されてもよい。一実施形態では、単一のプッシャが、各スロット１３０と関連付けられる。代替として、図１７に図示されるように、各プッシャ１２２は、２つの隣接するスロット１３０内に延在するように構成することができ、スロット１３０内に保持される、個別のステープル１２６の真下に位置付けられる。当技術分野において公知のように、各プッシャ１２２は、ＳＵＬＵ１８を通したカムバー４６の移動が、逐次的に、その個別のスロットまたは複数のスロット１３０内の各個別のプッシャ１２２を持ち上げ、ステープルをスロット１３０から出射するように、カムバー４６の遠位端のカム表面１１４ｂの１つに係合するように位置付けられる、下側カム表面１２２ａを含む。
【００３２】
底部カバー１２４は、部分的に、カートリッジ本体１２０内に形成されたチャネル１２５（図１８）を封入する。長手方向リッジ１３４は、底部カバー１２４の上側表面上に形成され、ナイフ４０の底部縁に固定される、ナイフ支持部材１３６のための軸受表面を提供する。ナイフ４０は、ピン、溶接、または他の公知の締結技法を介して、支持部材１３６に固定されてもよい。発射ストロークの間、ナイフ４０は、発射レバー５０が、チャネル部材２２を通して前進されるにつれて、ナイフトラック１３２に沿って誘導される。一対のスロット１３８は、リッジ１３４の側面とカートリッジ本体１２０の外側壁との間に画定される。長手方向リッジ１３４は、カムバー４６が、ステープル１２６をＳＵＬＵ１８から出射するために、長手方向リッジ１３４の周りに、カートリッジ本体１２０を通して、摺動可能に移動可能であるように、本体１２０内に位置付けられ、カムバー４６の伸長スロット１２０（図１２ａ）内に摺動可能に受容されるような寸法にされる。
【００３３】
安全ロックアウト１２８は、本体１２０の上側近位端上に枢動可能に配置され、係止された配向（図２６）から、係止解除された配向（図３４）に、枢動部材１５０を中心として枢動する。枢動部材１５０は、本体１２０の開口部１５４内に受容される。付勢部材、例えば、ばね１５２が、ナイフ支持部材１３６と安全ロックアウト１２８との間に位置付けられ、安全ロックアウト１２８を係止解除された配向に向かって押勢する。安全ロックアウト１２８は、ナイフ４０上に形成された係合部材１５８を受容するように位置付けられ、ナイフ４０が、後退された位置（図１９）にあるとき、安全ロックアウト１２８を係止された配向に保持する、近位フック１５６を含む。ナイフ４０が、発射ストロークの間、前進された位置に向かって移動されると、係合部材１５８は、ばね１５２の押勢に応答して、近位フック１５６から離れるように移動され、安全ロックアウト１２８が、係止解除された位置に向かって枢動することを可能にする。安全ロックアウト１２８は、安全ロックアウト１２８の上部表面１２８ａが、アンビル半セクション１２の内側表面に係合し、安全ロックアウト１２８の枢動を防止するため、アンビル半セクション１２およびカートリッジ受容半セクション１４が、咬持された位置にあるとき、係止解除された位置に枢動しないように防止されることに留意されたい。安全ロックアウト１２８は、ナイフ４０を摺動可能に受容するような寸法にされる、スロット１６０を画定する。ナイフ４０の後退された位置では、ナイフ４０の前縁４０ａは、安全ロックアウト１２８のスロット１６０内に閉じ込められ、ナイフ４０の前縁４０ａとの偶発的係合およびそれによる医療従事者への傷害を防止する。
【００３４】
再び、図２−３を参照すると、アンビル半セクション１２は、近位ハンドル部分１２ａおよび遠位アンビル部分１２ｂを含む。アンビル部分１２ｂは、当技術分野において公知のように、複数のステープル変形陥凹を含み、ＳＵＬＵ１８が、チャネル部材２２内に位置付けられると、ＳＵＬＵ１８の上部表面に面する、ステープル変形部分１９８を含む。また、当技術分野において公知のように、ステープル変形部分１９８は、ナイフ４０が、ＳＵＬＵ１８を通して移動されるにつれて、ナイフ４０（図１７）を受容するための中心長手方向スロット（図示せず）を含む。ステープル変形部分１９８は、アンビル半セクション１２と一体的に形成される、または代替として、溶接等の締結プロセスによって、アンビル半セクション１２に固定されることができる。一対の位置決めフィンガ１７０が、アンビル部分１２ｂのステープル変形部分１９８の近位端に隣接して位置付けられ、ＳＵＬＵ１８とステープル変形部分１９８を適切に整合するように機能する。
【００３５】
図３５−５１に示される代替実施形態では、外科手術用ステープラ１０００は、中実三角形断面構成（図４１）を有する、遠位アンビル部分１０１２ｂを有するアンビル半セクション１０１２を含む。アンビル部分１０１２ｂは、ＳＵＬＵ１０１８のナイフ４０を摺動可能に受容するような寸法にされる長手方向スロット１１９８ａを画定する、ステープル変形部分１１９８（図４０）を含む。
【００３６】
アンビル半セクション１２の中心部分は、一対の円筒形側方支持部材１７２を含む。アンビル半セクション１２およびカートリッジ受容半セクション１４の組立の際、側方支持部材１７２は、カートリッジ受容半セクション１４の中心部分１７３（図２８）上に形成される、Ｕ形状陥凹１７４内に支持される。側方支持部材１７２もまた、咬持レバー１６が、咬持された位置（図２Ｂ）に移動されると、咬持レバー１６の離間したフランジ部分１７８上に形成されるカットアウト１７６内に受容されるように位置付けられる。近位ハンドル部分１２ａは、人間工学的に形成され、親指係合当接部１８０および把持部分１８２を含む。ハンドル部分１２ａの近位端は、以下にさらに詳細に論じられる、一対の対向する涙滴形状突出部１８６を含む、下向きに延在するフィンガ１８４を含む。代替として、突出部１８６は、種々の構成をとってもよい。
【００３７】
図３５−５１に示される代替実施形態では、外科手術用ステープラ１０００のアンビル半セクション１０１２は、一対の離間された中実ロケータフィンガ１０８４（図４２および４３）をハンドル部分１０１２ａの近位端の内側表面１０８４ａの両側に含む。ロケータフィンガ１０８４は、カートリッジ受容半セクション１０１４の垂直支持部材１１８８の垂直スロット１１８８ａ（図４９）内に受容される。垂直支持部材１１８８の垂直スロット１１８８ａ内へのフィンガ１０８４の受容は、アンビル半セクション１０１２をカートリッジ受容半セクション１０１４に対して枢動可能に支持し、整合させる。
【００３８】
カートリッジ受容半セクション１４は、アンビル半セクション１２の側方支持部材１７２を支持するように位置付けられる、離間して中心に配置されるＵ形状陥凹１７４を画定する、中心部分１７３を含む。中心部分１７３の遠位壁１７３ａは、組織停止部を画定する（図３）。一対の側方円筒形枢動部材１８７は、陥凹の真下に位置付けられる。各枢動部材は、平坦１８７ａを画定してもよい（図２ａ）。枢動部材１８７は、丸いか、またはテーパ状の端部を含み得る。カートリッジ受容半セクション１４の近位端はまた、一対の垂直支持部材１８８を含む。各垂直支持部材１８８は、丸い底部表面を有する、伸長垂直スロット１８８ａを含む。垂直スロット１８８ａは、アンビル半セクション１２が、組立の際、半断面１４を受容するカートリッジ上に支持されると、アンビル半セクション１２（図２１）のフィンガ１８４上に形成される、突出部１８６を受容するような寸法にされる。突出部１８６を垂直スロット１８８ａ内に位置付けることによって、アンビル半セクション１２は、開放および閉鎖された位置間において、半断面１４を受容するカートリッジに対して、鋏状様式において、枢動されることができる。一実施形態では、突出部１８６は、涙滴プロフィールを有する。カートリッジ受容半セクション１４の少なくとも１つの側壁は、以下にさらに詳細に論じられる、くぼみ１８９（図３参照）を含む。
【００３９】
咬持レバー１６はまた、グリップ１９０ａおよび親指係合当接部１９２を含む、ハンドル部分１９０を含む。前述のように、一対の離間されたフランジ部分１７８は、咬持レバー１６の遠位端上に支持される。各フランジ部分１７８は、ステープラ１０が、咬持された位置（図２Ｂ）に向かって移動されると、アンビル半セクション１２の個別の側方支持部材１７２を受容するような寸法にされる、カットアウト１７６を画定する。咬持レバー１６の遠位端はまた、枢動部材１８７を受容するような寸法にされる、一対の遠位Ｃ形状陥凹１９４を画定する。Ｃ形状陥凹１９４は、平坦側面と、断面が直線の上部および底部とを有してもよく、または若干丸みを帯びた側面および／または少なくとも１つの湾曲上部ならびに／もしくは底部を有してもよい。断面では、Ｃの上部および底部は、鋭的な隅または少なくとも１つの若干丸みを帯びた隅によって、側面と接続してもよい。Ｃの上部および底部は、ある角度、例えば、鈍角において、側面から延在してもよい。各陥凹１９４は、枢動部材１８７の直径より幅が小さい口部を画定する。各Ｃ形状陥凹１９４の口部は、枢動部材１８７の直径より幅が小さいため、咬持レバー１６がカートリッジ受容半セクション１４（図２４）に固定されると、枢動部材１８７は、枢動部材１８７の平坦表面１８７ａに沿って、陥凹１９４の中に摺動されなければならない。したがって、咬持レバー１６は、図２Ａに示されるように、咬持レバー１６をカートリッジ受容半セクション１４の枢動部材１８７を中心として枢動可能に固定させるように位置付けられなければならない。枢動部材１８７をＣ形状陥凹１９４内に位置付け後、咬持レバー１６は、図２に示される位置に、図２Ａに示されるように反時計回り方向に回転され、咬持レバー１６をカートリッジ受容半セクション１４に固定させることができる。
【００４０】
図３５−５１に示される代替実施形態では、咬持レバー１０１６は、その遠位端１０１６ａに支持される横方向枢動部材１１８７を有する。図３６、４４、および４４Ａを参照されたい。枢動部材１１８７は、一端において、咬持レバー１０１６の遠位端１０１６ａにカンチレバー式に支持される。１つまたはそれを上回るヒンジ部材１１９４（図４９）が、チャネル部材１０２２の底部壁上に支持される。一実施形態では、２つの離間されるヒンジ部材１１９４が、チャネル部材１０２２の底部壁上に提供される。各ヒンジ部材１１９４は、枢動部材１１８７を受容するような寸法にされる開口部１１９４ａを含む。
【００４１】
使用時、咬持レバー１０１６は、枢動部材１１８７（図４４Ａ）の遊離端をヒンジ部材１１９４の開口部１１９４ａ（図５１）を通して摺動させることによって、チャネル部材１０２２上に搭載される。いったん枢動部材１１８７が、開口部１１９４ａを通して位置付けられると、咬持レバー１０１６は、チャネル部材１０２２と連動して枢動され、咬持レバー１０１６の離間されたフランジ部分１１７８のカットアウト１１７６（図４５）をアンビル半セクション１０１２の側方支持部材１１７２を受容するための位置に移動させることができる。側方支持部材１１７２が、カットアウト１１７６内に受容され、咬持レバー１０１６が、カートリッジ受容半セクション１０１４に向かってさらに枢動されると、アンビル半セクション１０１２は、前述のように、カートリッジ受容半セクション１０１４に向かって引っ張られ、アンビル半セクション１０１２を外科手術用ステープラ１０（図３５）に対してカートリッジ受容半セクション１０１４に咬持させる。咬持レバー１０１６が、完全に咬持された位置に移動されるにつれて、アンビル半セクション１０１２上に形成される組織間隙ピン１１７２ａ（図３５）が、カートリッジ受容半セクション１０１４の隆起表面１１７５と当接するように移動され、ステープラ１０００が咬持された位置にあるとき、アンビル半セクション１０１２とカートリッジ受容半セクション１０１４との間の間隔または間隙を制御する。
【００４２】
図３Ａに示されるように、咬持レバー１６の内側壁は、突出部２０１を含む。咬持レバー１６が、図２Ａに示される位置から図２Ｂに示される位置に回転されるにつれて、突出部２０１は、突出部２０１がカートリッジ受容半セクション１４の側壁内に形成されるくぼみ１８９（図２Ａ）の中に移動するまで、カートリッジ受容半セクション１４の外壁に沿って移動し、それによって変形される。突出部２０１を凹部１８９内に位置付けることによって、咬持レバー１６は、咬持レバー１６が、カートリッジ受容半セクション１４（図２Ａ）と係脱合され、したがって、開放位置（図２Ｂ）内に保持される位置に回転しないように防止される。
【００４３】
図２を参照すると、咬持レバー１６が、カートリッジ受容半セクション１４に固定され、ＳＵＬＵ１８および発射アセンブリ２０が、チャネル部材２２内に装填された後、アンビル断面１２は、カートリッジ受容半セクション１４に組み立てることができる。ＳＵＬＵ１８および発射アセンブリ２０は、咬持レバー１６のカートリッジ受容半セクション１４への固定に先立って、またはその後に、チャネル部材２２の中に装填されることができることに留意されたい。アンビル半セクション１２をカートリッジ受容半セクション１４に取り付けるために、フィンガ１８４の突出部１８６は、カートリッジ受容半セクション１４の垂直支持部材１８８の垂直スロット１８８ａ内に位置付けられる。その後、アンビル半セクション１２は、カートリッジ受容半セクション１４に向かって回転され、側方支持部材１７２をＵ形状陥凹１７４内に位置付ける。
【００４４】
外科手術用ステープラ１０を咬持された位置に位置付けるために、咬持レバー１６は、図２Ｂに示される位置から反時計回り方向に回転される。咬持レバー１６が回転されるにつれて、側方支持部材１７２は、フランジ部分１７８のカットアウト１７６内に受容され、カートリッジ受容半セクション１４に向かってカム動作される。図３に示されるように、ばね部材２００は、カートリッジ受容部分１４に係合し、咬持レバー１６を図２Ｂに示される非咬持位置に押勢する位置において、溶接等によって、咬持レバー１６の内側表面に固定される。図１に示される咬持された位置では、ステープル変形部分１９８（図２）は、ＳＵＬＵ１８の上部表面と緊密に接近して位置付けられる。
【００４５】
図３５−５１に示される代替実施形態では、ばね部材１２００（図３６）が、溶接または他の公知の締結技法等によって、発射アセンブリ１０２０の静止筐体１０２６の部壁１０２６ａに固定されてもよい。ばね部材１２００は、チャネル部材１０２２内に形成される伸長スロット１２００ａ（図４８）を通して延在し、咬持レバー１０１６の内側表面１０１７（図３６）に係合するように位置付けられる。前述のように、ばね２００に対するばね１２００と咬持レバー１０１６との間の係合は、咬持レバー１０１６を咬持されていない位置に押勢する。ばね１２００を、咬持レバーの一部としてではなく、使い捨て発射アセンブリ１０２０の一体型構成要素として提供することによって、ステープラ１０００の再使用可能構成要素は、再使用のために、より容易に清掃および滅菌されることができる。
【００４６】
図１８および２２−２７を参照すると、咬持レバー１６の近位端は、カットアウト２０４と、カットアウト２０４内に位置付けられる弾性カンチレバー式係止部材２０６と、係止部材２０６上に支持される弾性係合部材２０８とを含む。係止部材２０６は、開口部２１０と、指係合表面２１２とを画定する。係合部材２０８は、開口部２１０内に位置付けられ、係止表面２０８ａを含む、フック部分を画定する。一実施形態では、カンチレバー式係止部材２０６は、咬持レバー１６と一体的に形成され、一体型ヒンジ２１３（図２３）によって、咬持レバー１６に接続される。図３、２５、および２７を参照すると、カートリッジ受容半セクション１４の近位端は、カートリッジ受容半セクション１４から下向きに延在する、捕捉部材２１４を含む。一実施形態では、捕捉部材２１４は、半断面１４と一体的に形成され、横方向係止表面２１４ａを有する。捕捉部材２１４は、咬持レバー１６が咬持された位置に移動されるとき、開口部２１０内に受容され、係合部材２０８に係合し、内向きに偏向させるように位置付けられ、その結果、咬持レバー１６が咬持された位置に移動されて咬持レバー１６を咬持された位置に保持するとき、係合部材２０８の係止表面２０８ａが係止表面２１４ａと取り外し可能に係合するよう自動的にスナップする。これを遂行するために、係止部材２１４および係合部材２０８は、咬持された位置への咬持レバー１６の移動の間、当接し、係合部材２０８を捕捉部材２１４を越えて内向きに偏向させる、角度付けられたカム表面を画定する。係合部材２０８を捕捉部材２１４から解放するために、カンチレバー式係止部材２０６は、指係合表面２１２を押し、係合部材２０８を捕捉部材２１４との係合から外れるように内向きに移動させることによって、押下されることができる。これが生じると、ばね部材２００は、自動的に、咬持レバー１６を咬持されていない位置に押勢する。
【００４７】
図３５−５１に示される代替実施形態では、ステープラ１０００の咬持レバー１０１６は、中心に位置する枢動部材１２０６ａを含む、弾性係止部材１２０６（図４５−５７）を含む。係止部材１２０６は、咬持レバー１０１６の近位端内に画定されるカットアウト１２０４内に位置付けられ、一端に、係合部材１２０８を、そして係合部材１２０８と反対の他端に、指係合表面１２１２を含む。係合部材１２０８は、カートリッジ受容半セクション１０１４の近位端上に形成される捕捉部材１２１４に係合するように位置付けられる、突出部１２０８ａ（図４７）を含む。
【００４８】
図４４−４７を参照すると、係合部材１２０８は、弾性であって、咬持レバー１０１６がカートリッジ受容半セクション１０１４に向かって枢動されるにつれて、近位に撓曲し、捕捉部材１２１４上を通過し、次いで、捕捉部材１２１４と係合するようにスナップするように位置付けられる。係合部材１２０８を捕捉部材１２１４から係脱合するために、指係合表面１２１２は、カットアウト１２０４の中に内向きに押圧され、係合部材１２０８を中心枢動部材１２０６ａを中心としてカットアウト１２０４から外向きに枢動させることができる。係合部材１２０８が、カットアウト１２０４から外向きに枢動するにつれて、突出部１２０８ａは、捕捉部材１２１４から係脱合し、ばね部材１２００が、咬持レバー１０１６を咬持されていない位置に枢動することを可能にする。
【００４９】
図３、１２、１９、および２６を参照すると、前述のように、ガイドブロック４８は、発射アセンブリ２０の静止筐体２６内に枢動可能に支持される。ガイドブロック４８は、ＳＵＬＵ１８が、チャネル部材２２内に支持されると、ＳＵＬＵ１８の真下に静置する、遠位に延在する鼻部分２２０（図１２および２６）を含む。ガイドブロック４８の内部表面は、ステープラ１０が、咬持されていない位置にあるとき、ナイフ作動バー４４の切り欠き４９および５１内に受容される、係止表面２２２（図１９）を含む。ＳＵＬＵ１８が、チャネル部材２２内に位置付けられると、咬持レバー１６の咬持された位置への移動に先立って、ＳＵＬＵ１８は、前述のように、鼻部分２２０の上部に位置付けられ、そしてチャネル部材２２内に完全に着座されない。ステープラ１０が、咬持された位置に移動されると、アンビル半セクション１２の位置決めフィンガ１７０（図３）は、ＳＵＬＵ１８の本体１２０の上部表面に係合し、ＳＵＬＵ１８をチャネル部材２２内に完全に着座させる。位置決めフィンガ１７０は、ＳＵＬＵ１８に係合し、ＳＵＬＵ１８をアンビル部分１２ｂに対して適切に位置付ける。ＳＵＬＵ１８が、チャネル部材２２内に完全に着座されるにつれて、ＳＵＬＵ１８は、ガイドブロック４８の鼻部分２２０を下向きに押圧し、突出部７２を中心として、ガイドブロック４８を枢動させる。ガイドブロック４８が、枢動すると、係止表面２２２は、切り欠き４９および５１から移動し、ナイフ作動バー４４（図２６）を係止解除する。本構成は、咬持に先立って、ガイドブロック４８に関連するナイフ作動バー４４の移動を防止し、ナイフ作動バー４４およびＳＵＬＵナイフ４０が、使用に先立って、動作係合のために適切に位置付けられたままであることを保証する。
【００５０】
図２４−２８を参照すると、ステープラ１０が、咬持された非発射位置にあるとき、発射アセンブリ２０のスライドブロック５２は、チャネル部材２２および静止筐体２６の近位端で後退された位置にある。図２７を参照されたい。本位置では、ペダル５４は、チャネル部材２２のカットアウト５５内に位置付けられ、ペダル５４のピン８８は、停止陥凹９４ａの真下の発射レバー５０の弓状陥凹９４内に位置付けられる。したがって、発射レバー５０は、ステープラ１０の両側から、ステープラ１０の作動を促進するように枢動されることができる。加えて、スライドブロック５２の本位置では、ナイフ作動バー４４のフィンガ１０８は、スライドブロック５２の陥凹１１０の遠位壁に隣接して位置付けられる。係合部材２０８はまた、係止部材２１４と係合され、咬持レバー１６を咬持された位置に保持する
【００５１】
図２６を参照すると、スライドブロック５２が、後退された位置にあると、ナイフ４０およびカムバー４６のカム表面１１４ｂは、ＳＵＬＵ１８の近位端に位置付けられ、安全ロックアウト１２８の近位フック１５６は、ナイフ４０の係合部材１５８と係合して位置付けられ、安全ロックアウト１２８を係止された配向に保持する。加えて、ナイフ４０の下を向いたフック部分４０ｂは、ナイフ作動バー４４の上を向いたフック部分１０６と係合され、発射アセンブリ２０をＳＵＬＵ１８のナイフ４０に接続する。
【００５２】
図２９−３２を参照すると、発射レバー５０が、図２９の矢印「Ａ」に示される方向に遠位に前進されると、スライドブロック５２は、発射アセンブリ２０の静止筐体２６内を遠位に移動され、カムバー４６の対応する移動およびナイフ作動バー４４の遅延された移動をもたらす。前述のように、ナイフ作動バー４４の遅延された移動は、スライドブロック５２の陥凹１１０の長さに等しく、スライドブロック５２の陥凹１１０内のナイフ作動バー４４のフィンガ１０８の移動から生じる。スライドブロック５２を伴うナイフ作動バー４４の移動は、フィンガ１０８が、陥凹１１０の近位壁１１２に当接すると、開始する。カムバー４６が、発射アセンブリ２０の静止筐体２６を通して、遠位に移動されるにつれて、カムバー４６の側壁１１４上のカム表面１１４ｂは、ＳＵＬＵ１８を通して前進され、逐次的に、プッシャ１２２に係合し、ステープル１２６を本体１２０のスロット１３０から出射する。同時に、ナイフ作動バー４４の遠位端は、ナイフ４０と係合されるため、ナイフ４０は、所定の遅延後、ＳＵＬＵ１８を通して前進され、ステープルライン間の組織を切開する。
【００５３】
図３２の想像線に示されるように、スライドブロック５２が、静止筐体２６内で遠位に移動すると、ペダル５４は、チャネル部材２２上にずり上がり、発射アセンブリ２０の静止筐体２６の内側表面に沿って移動する。これが生じると、ペダル５４のピン８８は、停止陥凹９４ａ内に移動し、発射レバー５０のさらなる枢動移動を防止する。
【００５４】
図３１および３２を参照すると、ナイフ４０が、ＳＵＬＵ１８内で遠位に移動されると、ナイフ４０の係合部材１５８は、安全ロックアウト１２８の近位フック１５６と係脱合される。
【００５５】
図３３および３４を参照すると、発射レバー５０が、その最近位位置に戻り、カムバー４６およびナイフ４０を後退させ、カンチレバー式係止部材２０６が、押下され、係合部材２０８を捕捉部材２１４から係脱合させると、ばね２００は、咬持レバー１６をその咬持されていない位置に押勢し、ステープラ１０が、開放位置に移動することを可能にする。開放位置では、アンビル半セクション１２は、カートリッジ受容半セクション１４から離間され、ばね１５２（図１７）は、安全ロックアウト１２８が、ＳＵＬＵ１８から上向きに突出するように、安全ロックアウト１２８を、図３４の矢印Ｂによって示される方向に、枢動部材１５０を中心として、その係止解除された位置に枢動させる。係止解除された位置では、安全ロックアウト１２８は、ステープラ１０の咬持された位置に戻る移動を防止する。ステープラ１０を再使用するために、使用されたＳＵＬＵ１８は、新しいＳＵＬＵ１８と交換されなければならない。
【００５６】
外科手術手技の間、ＳＵＬＵ１８は、複数回、交換され、単一患者におけるステープラ１０の複数回の使用を促進することができる。各ＳＵＬＵ１８は、新たなナイフ４０を具備するため、組織の断裂は、最小限にされる。外科手術手技後、使用済みＳＵＬＵ１８および発射アセンブリ２０は、チャネル部材２２から除去され、適切な様式で廃棄されることができる。その後、咬持レバー１６は、咬持レバー１６を図２Ａに示される位置に回転させ、枢動部材１８７をＣ形状陥凹１９４から係脱合させることによって、カートリッジ受容半セクション１４から除去されることができる。アンビル半セクション１２、カートリッジ受容半セクション１４、および咬持レバー１６は、ここで、高圧蒸気殺菌法等によって、滅菌され、前述の様式において、滅菌されたＳＵＬＵ１８および発射アセンブリ２０とともに再使用されることができる。
【００５７】
図３５−５１に示される外科手術用ステープラ１０００の代替実施形態に関して、使用後、咬持レバー１０１６は、枢動部材１１８７をヒンジ部材１１９４の開口部１１９４ａから摺動させることによって、カートリッジ受容半セクション１０１４との係合から除去されることができる。ＳＵＬＵ１０１８および発射アセンブリは、カートリッジ受容半セクション１０１４から除去され、アンビル半セクション１０１２、カートリッジ受容半セクション１０１４、および咬持レバー１０１６の清掃および滅菌を促進することができる。
【００５８】
種々の改変が、本明細書に開示される外科手術用締結具適用装置の実施形態に行なわれてもよいことを理解される。したがって、前述の説明は、限定としてではなく、単に、実施形態の例示として解釈されるべきである。当業者は、本開示の範囲および精神内において、他の改変も想起し得る。
【図１】
2016534796.tif 000003
【図２】
2016534796.tif 000004
【図２Ａ】
2016534796.tif 000005
【図２Ｂ】
2016534796.tif 000006
【図３】
2016534796.tif 000007
【図３Ａ】
2016534796.tif 000008
【図４】
2016534796.tif 000009
【図５】
2016534796.tif 000010
【図６】
2016534796.tif 000011
【図７】
2016534796.tif 000012
【図８】
2016534796.tif 000013
【図９】
2016534796.tif 000014
【図９Ａ】
2016534796.tif 000015
【図９Ｂ】
2016534796.tif 000016
【図９Ｃ】
2016534796.tif 000017
【図１０】
2016534796.tif 000018
【図１１】
2016534796.tif 000019
【図１２】
2016534796.tif 000020
【図１２Ａ】
2016534796.tif 000021
【図１２Ｂ】
2016534796.tif 000022
【図１３】
2016534796.tif 000023
【図１４】
2016534796.tif 000024
【図１５】
2016534796.tif 000025
【図１６】
2016534796.tif 000026
【図１７】
2016534796.tif 000027
【図１８】
2016534796.tif 000028
【図１９】
2016534796.tif 000029
【図２０】
2016534796.tif 000030
【図２１】
2016534796.tif 000031
【図２２】
2016534796.tif 000032
【図２３】
2016534796.tif 000033
【図２４】
2016534796.tif 000034
【図２５】
2016534796.tif 000035
【図２６】
2016534796.tif 000036
【図２７】
2016534796.tif 000037
【図２８】
2016534796.tif 000038
【図２９】
2016534796.tif 000039
【図３０】
2016534796.tif 000040
【図３１】
2016534796.tif 000041
【図３２】
2016534796.tif 000042
【図３３】
2016534796.tif 000043
【図３４】
2016534796.tif 000044
【図３５】
2016534796.tif 000045
【図３６】
2016534796.tif 000046
【図３７】
2016534796.tif 000047
【図３８】
2016534796.tif 000048
【図３９】
2016534796.tif 000049
【図４０】
2016534796.tif 000050
【図４１】
2016534796.tif 000051
【図４２】
2016534796.tif 000052
【図４３】
2016534796.tif 000053
【図４４】
2016534796.tif 000054
【図４４Ａ】
2016534796.tif 000055
【図４５】
2016534796.tif 000056
【図４６】
2016534796.tif 000057
【図４７】
2016534796.tif 000058
【図４８】
2016534796.tif 000059
【図４９】
2016534796.tif 000060
【図５０】
2016534796.tif 000061
【図５１】
2016534796.tif 000062
【国際調査報告】
2016534796.tif 000063
2016534796.tif 000064
2016534796.tif 000065